(57)【要約】【課題】一般に普及している映像再生装置を利用して、映像を見ている者に映像に関連した体感を与える。【解決手段】ＤＶＤプレーヤー１によりテレビ２に映像と画像として構成された制御データを表示し、その画像をテレビ画面上に設置した光センサユニット３で読取つて制御信号を送り出し、その制御信号によって匂い発生装置４を制御して、映像に関連して匂いの発生を変化させて、映像を見ている者に好適な体感を与える。【選択図】  図１
2005279217.tif 000002
【特許請求の範囲】
【請求項１】
映像を視聴している者に体感を与える体感機能付映像表現装置において、映像と該映像に関連付けられた体感を与える為の制御データを構成する画像とが合成されている映像データを記憶させた媒体、該媒体を再生する手段、再生された該映像データ内の制御データを構成する画像部分を選択する手段、該選択された部分に表示されている画像の変化に応じて体感を与える手段、を有していることを特徴とする体感機能付映像表現装置。
【請求項２】
該媒体を再生する手段に、ビデオ再生装置を含む請求項１の体感機能付映像表現装置。
【請求項３】
該媒体を再生する手段に、放送システムを含む請求項１の体感機能付映像表現装置。
【請求項４】
該媒体を再生する手段に、インターネットによる画像配信システムを含む請求項１の体感機能付映像表現装置。
【請求項５】
該媒体を再生する手段に、携帯電話と映像表示プログラムを含む請求項１の体感機能付映像表現装置。
【請求項６】
体感を与える手段が皮膚及び粘膜を刺激する装置からなる請求項１の体感機能付映像表現装置。
【請求項７】
体感を与える手段が臭覚を刺激する装置からなる請求項１の体感機能付映像表現装置。
【発明の詳細な説明】
【技術分野】
【０００１】本発明は映像表現技術に関する。
【技術背景】
【０００２】従来、香りの出る映像表現（特願２００２−３１５４９）や、より表現効果が多彩である技法（特願平１０−３４４８７９、特願２００１−０４３２３６）が考案されてはいた。
【発明の開示】
【発明が解決しようとする課題】
【０００３】しかし、制御装置が大掛かりであったり、家庭等にある一般的なビデオデッキを利用して再現する事が簡単には出来なかったので、望まれている機能であるにも関わらず、今日まで家庭に普及することはなかった。【０００４】映像再生装置としては、ゲーム機器も一般的であり、しかも、外部機器を制御するインタフェースを持つので、本発明が実現せんとする体感機能付映像表現装置に最適な機器と考えられるが、映像を記憶させた媒体の仕様がゲーム機器の種類によって異なる上、普及対象が偏るという欠点を有している。【０００５】本発明は、かかる不満や困難を解決し、家庭にあるようなビデオデッキとテレビに必要に応じて体感を刺激する装置を付加するだけで所与の目的を達成せんとするものである。
【課題を解決するための手段】
【０００６】発明者は、ビデオ映像から制御データを得て外部機器を制御するという有用な発明（特許第３５２９０１８号）をなしたが、本発明は、その発明を応用して、飛躍的に発展させたものであり、一般家庭にもっとも普及している映像再生装置であるところのビデオデッキによって、これまた一般家庭にもっとも普及している映像表示装置であるテレビ受像機の画面上に、映像とともに、体感を刺激する装置（以下、体感装置という）を制御するデータを画像表示し、その画像表示された制御データ（以下、制御画像という）を、画面上に設置した光センサで受取り、体感装置を制御する信号を取り出して、その信号によって体感装置を制御することにより、映像を見ている者の体感を、映像に関連して効果的に刺激できるのである。
【発明の効果】
【０００７】以上のように、本発明によれば、利用者は、一般家庭にあるビデオデッキやテレビを利用して、さまざまな体感刺激を与える映像を簡便に楽しめるようになり、さらには、映像と制御画像が同一画面に合成されているので、映像と体感効果が時間的なズレを起こすこともなく、映像を視聴している画像表示装置以外の画像表示装置を別途用意する必要もなく、さらには、同一画面内に映像と制御画像が納められているので、映像のみからなる記憶媒体と何ら仕様上変わるところはなく、従来の媒体製造工程、流通手段、映像伝送手段などが、そのまま利用できるという再生媒体を提供する側にとっても、すこぶる有益な効果をもたらし、さらには、かかる体感装置を接続せずに再生しても、制御信号を構成する画像が、画面の隅などに付加されているだけなので、本映像の視聴には何ら支障がなく、むしろ画面の隅に特別な画像が表示されることによって、再生しているＤＶＤ等が特別な機能を持っていることを告知することができ、体感装置を購入するよう勧誘する効果をも生み出すのである。
【実施例】
【０００８】「匂いの出るビデオ」〔図１〕として、音楽ＣＤのプロモーションビデオを示す。音楽ＣＤの宣伝用にプロモーションビデオが作成されたり、ＣＤの最初のリリースロットにおまけとしてＤＶＤを添付することがある。その場合、より効果的な演出を付加することは、極めて有用である。アイドルが使用している香水を含ませた匂い発生装置とＤＶＤ１枚を購入者に提供すれば、購入者が所有する一般的なＤＶＤプレーヤーでＤＶＤを再生する際、匂い発生装置に接続されている光センサユニットを映像が表示される画面上に一時的に張り付ければ、アイドルの動きの合わせて、匂い発生装置から、香水による匂いが漂う、時には強く匂い、時にはほのかに香しく、また、時には匂いが止まったりと、極めて効果的な現実観を視聴する者に与える。【０００９】匂いを止める時は、消臭剤も援用できるし、複数の匂いを用いることにより、コストはかかるが効果を増す事こともできるし、光センサユニットにあらかじめ一般的な粘着物を塗ることにより取扱い易くなる。【００１０】「性感刺激ビデオ」〔図２〕を示す。前記「匂いの出るビデオ」と同様の機器構成になるが、光センサユニットは、いわゆる電動性具に接続されていて、映像に登場する人物の動きの早さ、方向に合わせて電動性具の動きが制御されるので、すこぶる好適な体感が映像を見ている者にもたらされのであるが、映像表示装置としてヘッドマウントディスプレーを使用すれば、さらにさらに好適な体感が得られる。【００１１】本発明の適用は、前記２例に限られるものでなく、映像に関連して使われる体感装置としては、イスを振動させる装置、鑑賞者の背後に置いたランプにより、視覚を刺激する装置などを、単独で、あるいは複数を組み合わせて用いれば、より多彩な体感が得られるのはいうまでもなく、映像の再生にあって音声や音響を伴ってもいいし、伴わなくてもよく、映像が劇場用映画である場合は、アスペクト比の違いにより、上下に映像のない部分が生じるので、制御画像を容易に合成できるので好都合である。【００１２】また、体感装置としていわゆるルームランナーを用いて、その速度を本発明によりビデオ映像の変化の早さに合わせてルームランナーの速度を変化させれば、効果的なトレーニングが出来る。【００１３】また、マラソンの実況放送の映像を見ている時に、放送局よりルームランナー用の制御データを画像表示したものを放映し、ランナーの走る早さに合わせて視聴者のルームランナーを制御する事により、マラソンランナーの速度を映像を見ている者が体感出来るわけであるが、このような実況映像は放送システム以外に、インターネットを利用した映像配信システムや、携帯電話システムを使っても送ることができる。【００１４】画面に設置された光センサユニットと、体感刺激装置を電線で結ぶ事が低コストではあるが、そのわずらわしさを避ける為に、赤外線や電波や超音波を用いて制御信号を送ることが出来るのはいうまでもなく、その場合、画面上に設置する光センサユニットの電源は、画面光を太陽電池などで変換して電源として活用するとより便利である。【００１５】映像再生装置には、ＶＨＳビデオデッキ、ＤＶＤプレーヤー、デジタルビデオカメラはもとより、動画機能を持つデジタルカメラも用いることができ、制御画像を選択する手段を、画面上に設置された光センサユニットによることなく、電子回路などによって、電気的に分離抽出できることはいうまでもなく、その場合は、その為の機器が必要となるが、映像再生装置と映像表示装置との間に、該分離用機器を挿入することにより、画面に表示された映像が制御画像を全く含まないという利点を生ずる。【００１６】いずれの場合も、提供される媒体は同じであって、映像を楽しもうとする者が、分離機器を使って制御画像のない画面を楽しむか、分離機器を購入することなく、より安価に体感機能を楽しむかという選択を行える。【００１７】映像と映像に関連付けられた体感を与える為の制御データを構成する画像の合成には、パソコンを使用したリアルタイム画像編集システムの使用が簡便であり、得られた合成映像データは、簡単に、ＤＶＤ、ビデオＣＤ、ＶＨＳテープに記録することができ、大量生産する工程も一般的である。【００１８】本発明を、携帯電話に適用する時は、携帯電話には、二つの表示画面を持つものが少なくないので、親画面に映像を表示し、子画面に制御画面を表示させることも出来るが、光センサユニットが制御画面のみに設置されるのは当然のことである。【００１９】本発明を、携帯電話に適用する場合、楽しむ映像ではないが、いわゆるメールを映像として親画面に表示されている時に、その文字に対応する制御画像を子画面に表示し、その制御データで、点字表示器を制御することにより、指先を刺激し点字として認識させることもでき、かかる構成は、目と耳が不自由な人が携帯電話を使うことを可能にする。【００２０】制御画像により制御される外部機器は、体感装置に限らず、本発明を応用して、放送によるゲームシステム〔図３〕を構成することもできる。【００２１】例えば、本発明の方法によれば、クイズ番組を放送する際に、視聴者は用意した回答装置により回答し、回答装置はテレビ画面に接続されており、放送局より正解が制御画面として放送され、回答装置に伝達され、回答装置内で視聴者の回答と照合され、正しければ回答装置の上の人形の手がマルを示す動作をし、間違っていれば、人形はバツを示す動作をするように構成できるが，同じような機能を実現するには、従来の手段では、電話回線等で視聴者側と放送局側の交信を必要とした。
【図面の簡単な説明】
【図１】本発明の「匂いの出るビデオ」への適用を説明する図である。
【図２】本発明の「性感刺激ビデオ」への適用を説明する図である。
【図３】本発明の「ゲームシステム」への応用を説明する図である。
【符号の説明】
１  ＤＶＤプレーヤー
２  テレビ
３  光センサユニット
４  匂い発生装置
５  性感刺激装置
６  回答装置
【図１】
2005279217.tif 000003
【図２】
2005279217.tif 000004
【図３】
2005279217.tif 000005